(57)【特許請求の範囲】
【請求項１】
溶接ワイヤ送給装置において、
ワイヤ送給機構を設けるベースを取り付けるベース取り付け部とワイヤ送出口を設けたパネルを取り付けるワイヤ送出部とリモコン取り付け板を取り付けるリモコン取り付け部とを連続してループ状に形成したパイプ製のフレーム本体であって、
前記ベース取り付け部を水平に置いたとき、このベース取り付け部に続く前記ワイヤ送出部を垂直に設け、このワイヤ送出部に続く前記リモコン取り付け部を前記ベース取り付け部側の上方へ傾斜して設けた前記フレーム本体と、
ほぼＣ字形状を形成してその両端を前記ベース取り付け部と前記リモコン取り付け部とにそれぞれ取り付けて上部を取っ手部とするパイプ製の取っ手フレームと、
下端と一方の側端とを前記取っ手フレームの内側で前記ワイヤ送出口の方向に取り付けたリール軸取り付け部材と、
前記リール軸取り付け部材の表面に突き出て取り付けワイヤリールを搭載するリール軸とを備えたことを特徴とする溶接ワイヤ送給装置。
【請求項２】
請求項１記載のパイプ製の取っ手フレーム及びリール軸取り付け部材の代わりに、
前記ワイヤ送出口の方向で下端と一方の側端とを前記ベース取り付け部と前記リモコン取り付け部とにそれぞれ取り付けた板状リール軸取り付け部材を備え、
この板状リール軸取り付け部材の上端付近に横長の穴を開けて取っ手部を形成し、
前記板状リール軸取り付け部材の表面に前記リール軸を突き出して取り付けたことを特徴とする溶接ワイヤ送給装置。
【発明の詳細な説明】
【技術分野】
【０００１】
本発明は、消耗電極ガスシールドアーク溶接に使用される溶接ワイヤを送給するための溶接ワイヤ送給装置であって、特に、可搬式の溶接ワイヤ送給装置に関するものである。
【背景技術】
【０００２】
造船等の大形で長尺な構造物の溶接作業では、本溶接の前に被溶接物の多数の仮付け溶接を行い、被溶接物の位置決めと本溶接時の熱歪の防止を行う必要がある。この仮付け溶接では、作業者が仮付け溶接位置に移動して作業を行うが、作業場の床面は窪みやケーブル類が多く、足場が悪い所が多い。そのために、溶接ワイヤ送給装置に車輪をつけて転がして運搬することができない。その代わりに、溶接トーチと溶接ワイヤ送給装置とを、仮付け溶接位置まで、その都度、手で運搬する必要がある。従来、この運搬に適した可搬式の溶接ワイヤ送給装置が提案されていた。（例えば、特許文献１参照。）。
【０００３】
図４は、従来技術の可搬式の溶接ワイヤ送給装置１０のフレーム構造を示す図である。同図において、ベース１は鉄板からなり、このベースの前方部１ａに、ワイヤ送給モータとワイヤ送給ロールとを備えたワイヤ送給機構（図示を省略）を設ける。また、ベース１にリール軸取り付け部材２を取り付け、この表面に、ワイヤリール３を搭載するためのリール軸４を、突き出して取り付けている。このリール軸取り付け部材２は、ワイヤを巻いたワイヤリール３をリール軸４に搭載するために、高い強度を必要とする。そのために、板金をコの字に形成して、その下端２ａをベース１に取り付け、その背面にリール軸４を取り付けている。
【０００４】
また、ベース１に、板金をプレス加工して溶接したフレーム５を取り付けている。このフレーム５の前面に、ワイヤ送出口６を設けたパネル７を取り付けている。このワイヤ送出口６に、溶接用トーチのケーブル（図示を省略）を接続する。その上方のフレーム５に、リモコン（図示を省略）を取り付けるためのリモコン取り付け板８を、取り付けている。このリモコンによって、溶接条件を設定する。また、フレーム５の上部に、作業者が溶接ワイヤ送給装置を持ち運ぶための取っ手９を、取り付けている。
【０００５】
以下、動作を説明する。図４において、リール軸４に搭載したワイヤリール３に巻いた溶接ワイヤを、ベースの前方部１ａに取り付けたワイヤ送給機構（図示を省略）によって、送給する。そして、フレーム５の前面に取り付けたパネル７に設けたワイヤ送出口６から溶接用トーチのケーブル（図示を省略）へ送出する。また、リモコン取り付け板８に取り付けたリモコン（図示を省略）によって、溶接条件を設定する。作業者がフレーム５の上部に取り付けた取っ手９を持って、溶接ワイヤ送給装置１０を持ち運び、溶接作業を行う。
【特許文献１】実公平６−４１７２９号公報
【発明の開示】
【発明が解決しようとする課題】
【０００６】
図４に示した従来技術の溶接ワイヤ送給装置１０においては、ベース１に、ワイヤリール３、ワイヤ送給機構（図示を省略）、フレーム５等の重量がかかり、高い強度が要求されるので、ベース１の材質として、厚い鉄板を使用している。また、作業者が持ち運ぶときに、フレーム５と取っ手９にも同様に重量がかかるために、これらも高い強度を保つ構造にしている。さらに、リール軸４及びリール軸取り付け部材２に、ワイヤリール３を搭載するので、これらも高い強度を保つ構造にしている。
【０００７】
溶接ワイヤ送給装置１０は、溶接作業現場で使用され、溶接箇所を次々に変えて溶接を行う。そのために、溶接作業者が頻繁に溶接ワイヤ送給装置１０を持ち運びながら、移動する必要がある。しかし、従来技術の溶接ワイヤ送給装置１０は、かなりの重量であるので、持ち運ぶのが、容易ではなかった。
【０００８】
本発明は、強度を維持し軽量化を図ることができる溶接ワイヤ送給装置を提供することを目的としている。
【課題を解決するための手段】
【０００９】
上記目的を達成するために、第１の発明は、
溶接ワイヤ送給装置において、
ワイヤ送給機構を設けるベースを取り付けるベース取り付け部とワイヤ送出口を設けたパネルを取り付けるワイヤ送出部とリモコン取り付け板を取り付けるリモコン取り付け部とを連続してループ状に形成したパイプ製のフレーム本体であって、
前記ベース取り付け部を水平に置いたとき、このベース取り付け部に続く前記ワイヤ送出部を垂直に設け、このワイヤ送出部に続く前記リモコン取り付け部を前記ベース取り付け部側の上方へ傾斜して設けた前記フレーム本体と、
ほぼＣ字形状を形成してその両端を前記ベース取り付け部と前記リモコン取り付け部とにそれぞれ取り付けて上部を取っ手部とするパイプ製の取っ手フレームと、
下端と一方の側端とを前記取っ手フレームの内側で前記ワイヤ送出口の方向に取り付けたリール軸取り付け部材と、
前記リール軸取り付け部材の表面に突き出て取り付けワイヤリールを搭載するリール軸とを備えたことを特徴とする溶接ワイヤ送給装置である。
【００１０】
第２の発明は、
第１の発明に記載のパイプ製の取っ手フレーム及びリール軸取り付け部材の代わりに、
前記ワイヤ送出口の方向で下端と一方の側端とを前記ベース取り付け部と前記リモコン取り付け部とにそれぞれ取り付けた板状リール軸取り付け部材を備え、
この板状リール軸取り付け部材の上端付近に横長の穴を開けて取っ手部を形成し、
前記板状リール軸取り付け部材の表面に前記リール軸を突き出して取り付けたことを特徴とする溶接ワイヤ送給装置である。
【発明の効果】
【００１１】
第１の発明の溶接ワイヤ送給装置は、ベース取り付け部１３ａとワイヤ送出部１３ｂとリモコン取り付け部１３ｃとからなるフレーム本体１３を、パイプ製にすることによって、強度を維持すると共に、軽量化を図ることができる。また、パイプ製の取っ手フレーム１５を取り付けて、この上部を取っ手部１５ｃとし、リール軸取り付け部材１６をこの取っ手フレーム１５に、２面で取り付けている。従って、リール軸取り付け部材１６の強度を維持すると共に、板厚を薄くすることができ、軽量化を図ることができる。よって、溶接作業現場で、溶接箇所を次々に変えて溶接を行う場合、溶接作業者が溶接ワイヤ送給装置を容易に持ち運びすることができる。
【００１２】
また、ワイヤリール３に巻かれた溶接ワイヤの重量が変化しても、取っ手部１５ｃを持つ位置を、重心の上へ移動させることができるので、安定して溶接ワイヤ送給装置１２を運ぶことができる。
【００１３】
第２の発明の溶接ワイヤ送給装置は、第１の発明の溶接ワイヤ送給装置１２が奏する効果に加えて、さらに、強度を向上させることができる。
【発明を実施するための最良の形態】
【００１４】
［実施の形態１］
発明の実施の形態を実施例に基づき図面を参照して説明する。図１は、本発明の実施の形態１の溶接ワイヤ送給装置１２のフレーム構造を示す図である。同図において、フレーム本体１３は、強度を維持して軽量化を図るためにパイプ製とし、ベース取り付け部１３ａとワイヤ送出部１３ｂとリモコン取り付け部１３ｃとからなる。そして、ベース取り付け部１３ａに、ワイヤ送給機構（図示を省略）を設けるベース１４を取り付けている。ワイヤ送出部１３ｂに、溶接用トーチのケーブル（図示を省略）を接続するワイヤ送出口６を設けたパネル７を取り付けている。リモコン取り付け部１３ｃに、リモコン（図示を省略）を取り付けるためのリモコン取り付け板８を取り付けている。そして、これらのベース取り付け部１３ａとワイヤ送出部１３ｂとリモコン取り付け部１３ｃとを、連続してループ状に形成している。
【００１５】
また、これらの位置関係として、同図に示すように、ベース取り付け部１３ａを水平に置いたとき、このベース取り付け部１３ａに続くワイヤ送出部１３ｂを垂直に設けている。そして、このワイヤ送出部１３ｂに続くリモコン取り付け部１３ｃを、ベース取り付け部１３ａ側の上方へ傾斜して設けている。このように、リモコン取り付け部１３ｃを傾斜させているのは、リモコンの操作性を向上させるためである。
【００１６】
そして、取っ手フレーム１５も強度を維持して軽量化を図るためにパイプ製とし、ほぼＣ字を形成している。その両端１５ａ、１５ｂをベース取り付け部１３ａとリモコン取り付け部１３ｃとに、それぞれ取り付けている。この取っ手フレーム１５の上部を、作業者が持ち運ぶための取っ手部１５ｃとしている。リール軸取り付け部材１６を、パネル７のワイヤ送出口６の方向に向けて、その下端１６ａと一方の側端１６ｂとを、取っ手フレーム１５の内側に取り付けている。またリール軸４をリール軸取り付け部材１６の表面に突き出して取り付け、このリール軸４に、ワイヤリール３を搭載する。
【００１７】
以下、動作を説明する。図１において、リール軸４に搭載したワイヤリール３に巻いた溶接ワイヤを、フレーム本体１３のベース１４に取り付けたワイヤ送給機構（図示を省略）によって、送給する。そして、パネル７に設けたワイヤ送出口６から溶接用トーチのケーブル（図示を省略）へ送出する。また、リモコン取り付け板８に取り付けたリモコン（図示を省略）によって、溶接条件を設定する。取っ手フレームの取っ手部１５ｃを作業者が持って、溶接ワイヤ送給装置１２を持ち運び、溶接作業を行う。
【００１８】
この結果、本発明の実施の形態１の溶接ワイヤ送給装置は、ベース取り付け部１３ａとワイヤ送出部１３ｂとリモコン取り付け部１３ｃとからなるフレーム本体１３を、パイプ製にすることによって、強度を維持すると共に、軽量化を図ることができる。また、パイプ製の取っ手フレーム１５を取り付けて、この上部を取っ手部１５ｃとし、リール軸取り付け部材１６をこの取っ手フレーム１５に、２面で取り付けている。従って、リール軸取り付け部材１６の強度を維持すると共に、板厚を薄くすることができ、軽量化を図ることができる。よって、溶接作業現場で、溶接箇所を次々に変えて溶接を行う場合、溶接作業者が溶接ワイヤ送給装置を容易に持ち運びすることができる。
【００１９】
また、ワイヤリール３に巻かれた溶接ワイヤの重量が変化しても、取っ手部１５ｃを持つ位置を、重心の上へ移動させることができるので、安定して溶接ワイヤ送給装置１２を運ぶことができる。
【００２０】
そして、図２に示すように、取っ手フレーム１５において、取っ手部１５ｃの下方に補強パイプ１７を取り付けることによって、さらに、取っ手フレーム１５の強度を高めることができる。図２は、本発明の実施の形態１の溶接ワイヤ送給装置に補強パイプ１７を取り付けたときのフレーム構造を示す図である。同図において、その他の機能は、図１に示した本発明の実施の形態１の溶接ワイヤ送給装置のフレーム構造と同機能に同符号を付して、説明を省略する。
【００２１】
［実施の形態２］
図３は、本発明の実施の形態２の溶接ワイヤ送給装置１９のフレーム構造を示す図である。同図において、図１に示した実施の形態１の溶接ワイヤ送給装置１２で説明したパイプ製の取っ手フレーム１５及びリール軸取り付け部材１６の代わりに、板状リール軸取り付け部材１８をフレーム本体１３に取り付けている。この板状リール軸取り付け部材１８を、ワイヤ送出口６の方向を向けて、その下端１８ａと一方の側端１８ｂとをベース取り付け部１３ａとリモコン取り付け部１３ｃとにそれぞれ取り付けている。
【００２２】
そして、この板状リール軸取り付け部材１８の上端付近に、横長の穴１８ｃを開けて、作業者が持ち運ぶための取っ手部１８ｄを形成している。また、板状リール軸取り付け部材１８の表面にリール軸４を突き出して取り付け、このリール軸４に、ワイヤリール３を搭載する。その他の機能は、図１に示した実施の形態１の溶接ワイヤ送給装置と同機能に同符号を付して、説明を省略する。また、動作は、図１に示した実施の形態１の溶接ワイヤ送給装置の動作と同様であるので、説明を省略する。
【００２３】
この結果、本発明の実施の形態２の溶接ワイヤ送給装置１９は、実施の形態１の溶接ワイヤ送給装置１２が奏する効果に加えて、さらに、強度を向上させることができる。  
【００２４】
なお、上述した実施の形態１及び実施の形態２の溶接ワイヤ送給装置において、溶接ワイヤの重量を少なくしたワイヤリールを搭載するときは、そのワイヤリール３の大きさ及び重量に対応して（板状）リール軸取り付け部材、フレーム本体及び取っ手フレームの強度及び大きさを小さくすることができるので、さらに、小型化及び軽量化を図ることができる。
【図面の簡単な説明】
【００２５】
【図１】本発明の実施の形態１の溶接ワイヤ送給装置１２のフレーム構造を示す図である。
【図２】本発明の実施の形態１の溶接ワイヤ送給装置に補強パイプ１７を取り付けたときのフレーム構造を示す図である。
【図３】本発明の実施の形態２の溶接ワイヤ送給装置１９のフレーム構造を示す図である。
【図４】従来技術の可搬式の溶接ワイヤ送給装置１０のフレーム構造を示す図である。
【符号の説明】
【００２６】
１            ベース
１ａ            ベースの前方部
２            リール軸取り付け部材
２ａ            リール軸取り付け部材の下端
３            ワイヤリール
４            リール軸
５            フレーム
６            ワイヤ送出口
７            パネル
８            リモコン取り付け板
９            取っ手
１０            溶接ワイヤ送給装置
１２            溶接ワイヤ送給装置
１３            フレーム本体
１３ａ            ベース取り付け部
１３ｂ            ワイヤ送出部
１３ｃ            リモコン取り付け部
１４            ベース
１５            取っ手フレーム
１５ａ            取っ手フレームの一端
１５ｂ            取っ手フレームの他端
１５ｃ            取っ手フレームの取っ手部
１６            リール軸取り付け部材
１６ａ            リール軸取り付け部材の下端
１６ｂ            リール軸取り付け部材の一方の側端
１７            補強パイプ
１８            板状リール軸取り付け部材
１８ａ            板状リール軸取り付け部材の下端
１８ｂ            板状リール軸取り付け部材の一方の側端
１８ｃ            板状リール軸取り付け部材の横長の穴
１８ｄ            取っ手部
１９            溶接ワイヤ送給装置
【図１】
0004657832.tif 000002
【図２】
0004657832.tif 000003
【図３】
0004657832.tif 000004
【図４】
0004657832.tif 000005